(57)【特許請求の範囲】
【請求項１】
医科レセプトと調剤レセプトとを含むレセプトデータを取得するレセプトデータ取得部と、
前記レセプトデータを元に、患者の属性と、前記患者の症状または病名と、前記症状または病名に応じて調剤された前記患者の調剤薬セットとを紐付けて集積するデータベースと、
医師が入力した、患者の属性と症状または病名とを取得する診察情報取得部と、
前記データベースを参照して、前記診察情報取得部が取得した前記患者の属性と症状または病名とに対応した少なくとも１組の処方薬セットを前記医師に提示する処方薬セット提示部と、
を備える処方支援システム。
【請求項２】
前記処方薬セット提示部は、前記データベースに前記患者の属性と症状または病名とに対応した少なくとも２組の処方薬セットがある場合、前記少なくとも２組の処方薬セットの出現頻度に従った順に前記医師に提示する請求項１に記載の処方支援システム。
【請求項３】
前記診察情報取得部は、さらに、前記処方薬セットに含めるべき薬または前記処方薬セットに含めるべきでない薬の情報を取得し、
前記処方薬セット提示部は、前記含めるべき薬を含む処方薬セットまたは前記含めるべきでない薬を含まない処方薬セットを前記医師に提示する請求項１または２に記載の処方支援システム。
【請求項４】
前記属性は、前記患者の世代と、前記患者の性別と、前記患者が妊婦か否かと、の少なくとも１つを含む請求項１から３のいずれか１項に記載の処方支援システム。
【請求項５】
前記診察情報取得部は、複数の階層で前記属性と前記症状または病名とを取得し、
前記処方薬セット提示部は、前記複数の階層によって提示する処方薬セットを限定する請求項１から４のいずれか１項に記載の処方支援システム。
【請求項６】
前記患者の症状または病名の前記階層は、診療科および病名に基づいて分類された大分類と小分類とを含む請求項５に記載の処方支援システム。
【請求項７】
前記調剤薬セットおよび前記処方薬セットは、それぞれに含まれる各調剤薬および各処方薬の医療品名と、処方年月日と、１回の投与量と、投与日数とを含む請求項１から６のいずれか１項に記載の処方支援システム。
【請求項８】
前記診察情報取得部は、さらに、患者の診療期間における処方箋の発行時期を取得し、
前記処方薬セット提示部は、前記発行時期に対応して選択された、前記少なくとも１組の処方薬セットを前記医師に提示する請求項１から７のいずれか１項に記載の処方支援システム。
【請求項９】
前記発行時期は、初診時と、初診を除く診療期間と、処方薬セットの変更時と、を含む請求項８に記載の処方支援システム。
【請求項１０】
前記データベースは、さらに、前記レセプトデータの発行元の情報を紐付けて集積し、
前記処方薬セット提示部は、前記発行元に対応した重みを付けて前記出現頻度を算出する請求項２に記載の処方支援システム。
【請求項１１】
前記データベースは、さらに、前記患者に紐付けて前記レセプトデータの履歴を集積し、
前記処方薬セット提示部は、前記履歴から抽出した情報に基づいて、提示する処方薬セットを選別する請求項１から１０のいずれか１項に記載の処方支援システム。
【請求項１２】
前記抽出した情報は、薬の飲み合わせと食物との食べ合わせを含む併用禁忌の情報と、薬の副作用の情報との少なくとも１つを含む請求項１１に記載の処方支援システム。
【請求項１３】
医科レセプトと調剤レセプトとを含むレセプトデータを取得するレセプトデータ取得ステップと、
前記レセプトデータを元に、患者の属性と、前記患者の症状または病名と、前記症状または病名に応じて調剤された前記患者の調剤薬セットとを紐付けてデータベースに集積する集積ステップと、
医師が入力した、患者の属性と症状または病名とを取得する診察情報取得ステップと、
前記データベースを参照して、前記診察情報取得ステップで取得した前記患者の属性と症状または病名とに対応した少なくとも１組の処方薬セットを前記医師に提示する処方薬セット提示ステップと、
を含む処方支援方法。
【請求項１４】
医科レセプトと調剤レセプトとを含むレセプトデータを取得するレセプトデータ取得部と、
前記レセプトデータを元に、患者の属性と、前記患者の症状または病名と、前記症状または病名に応じて調剤された前記患者の調剤薬セットとを紐付ける調剤薬セット抽出部と、
前記調剤薬セット抽出部で紐付けられた前記属性と前記症状または病名と前記調剤薬セットを、前記属性と前記症状または病名により検索可能にデータベースに格納させる格納指示部と、
を備える情報処理装置。
【請求項１５】
医科レセプトと調剤レセプトとを含むレセプトデータを取得するレセプトデータ取得ステップと、
前記レセプトデータを元に、患者の属性と、前記患者の症状または病名と、前記症状または病名に応じて調剤された前記患者の調剤薬セットとを紐付ける調剤薬セット抽出ステップと、
前記調剤薬セット抽出ステップにおいて紐付けられた前記属性と前記症状または病名と前記調剤薬セットを、前記属性と前記症状または病名により検索可能にデータベースに格納させる格納指示ステップと、
を含む情報処理方法。
【請求項１６】
医科レセプトと調剤レセプトとを含むレセプトデータを取得するレセプトデータ取得ステップと、
前記レセプトデータを元に、患者の属性と、前記患者の症状または病名と、前記症状または病名に応じて調剤された前記患者の調剤薬セットとを紐付ける調剤薬セット抽出ステップと、
前記調剤薬セット抽出ステップにおいて紐付けられた前記属性と前記症状または病名と前記調剤薬セットを、前記属性と前記症状または病名により検索可能にデータベースに格納させる格納指示ステップと、
をコンピュータに実行させる情報処理プログラム。
【請求項１７】
医科レセプトと調剤レセプトとを含むレセプトデータを元に、患者の属性と、前記患者の症状または病名と、前記症状または病名に応じて調剤された前記患者の調剤薬セットとを紐付けて集積するデータベースと、
医師が入力した、患者の属性と症状または病名とを取得する診察情報取得部と、
前記データベースを参照して、前記診察情報取得部が取得した前記患者の属性と症状または病名とに対応した少なくとも１組の処方薬セットを前記医師に提示する処方薬セット提示部と、
を備える情報処理装置。
【請求項１８】
医師が入力した、患者の属性と症状または病名とを取得する診察情報取得ステップと、
医科レセプトと調剤レセプトとを含むレセプトデータを元に、患者の属性と、前記患者の症状または病名と、前記症状または病名に応じて調剤された前記患者の調剤薬セットとを紐付けて集積するデータベースを参照して、前記診察情報取得ステップで取得した前記患者の属性と症状または病名とに対応した少なくとも１組の処方薬セットを前記医師に提示する処方薬セット提示ステップと、
を含む情報処理方法。
【請求項１９】
医師が入力した、患者の属性と症状または病名とを取得する診察情報取得ステップと、
医科レセプトと調剤レセプトとを含むレセプトデータを元に、患者の属性と、前記患者の症状または病名と、前記症状または病名に応じて調剤された前記患者の調剤薬セットとを紐付けて集積するデータベースを参照して、前記診察情報取得ステップで取得した前記患者の属性と症状または病名とに対応した少なくとも１組の処方薬セットを前記医師に提示する処方薬セット提示ステップと、
をコンピュータに実行させる情報処理プログラム。
【発明の詳細な説明】
【技術分野】
【０００１】
本発明は、処方支援システム、処方支援方法、情報処理装置、通信端末およびそれらの方法およびプログラムに関する。
【背景技術】
【０００２】
上記技術分野において、特許文献１には、電子カルテサーバに、複数の医療機関からの電子カルテ情報と、症状と処方薬とを関連付けた統計情報とを記憶し、電子カルテの入力画面から症状を入力すると関連付けられた処方薬が検索されて、処方薬参考情報として表示される技術が開示されている。
【先行技術文献】
【特許文献】
【０００３】
【特許文献１】特開２０１８−０８１５２８号公報
【発明の概要】
【発明が解決しようとする課題】
【０００４】
しかしながら、上記文献に記載の技術では、電子カルテ情報に基づく症状と処方薬との関連付けであり、医師により電子カルテ情報の質にバラツキがあり調剤の点検もされてないため、信頼性の高い処方薬の参考情報が提供できなかった。
【０００５】
本発明の目的は、上述の課題を解決する技術を提供することにある。
【課題を解決するための手段】
【０００６】
上記目的を達成するため、本発明に係る処方支援システムは、
医科レセプトと調剤レセプトとを含むレセプトデータを取得するレセプトデータ取得部と、
前記レセプトデータを元に、患者の属性と、前記患者の症状または病名と、前記症状または病名に応じて調剤された前記患者の調剤薬セットとを紐付けて集積するデータベースと、
医師が入力した、患者の属性と症状または病名とを取得する診察情報取得部と、
前記データベースを参照して、前記診察情報取得部が取得した前記患者の属性と症状または病名とに対応した少なくとも１組の処方薬セットを前記医師に提示する処方薬セット提示部と、
を備える。
【０００７】
上記目的を達成するため、本発明に係る処方支援方法は、
医科レセプトと調剤レセプトとを含むレセプトデータを取得するレセプトデータ取得ステップと、
前記レセプトデータを元に、患者の属性と、前記患者の症状または病名と、前記症状または病名に応じて調剤された前記患者の調剤薬セットとを紐付けてデータベースに集積する集積ステップと、
医師が入力した、患者の属性と症状または病名とを取得する診察情報取得ステップと、
前記データベースを参照して、前記診察情報取得部が取得した前記患者の属性と症状または病名とに対応した少なくとも１組の処方薬セットを前記医師に提示する処方薬セット提示ステップと、
を含む。
【０００８】
上記目的を達成するため、本発明に係る情報処理装置は、
医科レセプトと調剤レセプトとを含むレセプトデータを取得するレセプトデータ取得部と、
前記レセプトデータを元に、患者の属性と、前記患者の症状または病名と、前記症状または病名に応じて調剤された前記患者の調剤薬セットとを紐付ける調剤薬セット抽出部と、
前記調剤薬セット抽出部で紐付けられた前記属性と前記症状または病名と前記調剤薬セットを、前記属性と前記症状または病名により検索可能にデータベースに格納させる格納指示部と、
を備える。
【０００９】
上記目的を達成するため、本発明に係る情報処理方法は、
医科レセプトと調剤レセプトとを含むレセプトデータを取得するレセプトデータ取得ステップと、
前記レセプトデータを元に、患者の属性と、前記患者の症状または病名と、前記症状または病名に応じて調剤された前記患者の調剤薬セットとを紐付ける調剤薬セット抽出ステップと、
前記調剤薬セット抽出ステップにおいて紐付けられた前記属性と前記症状または病名と前記調剤薬セットを、前記属性と前記症状または病名により検索可能にデータベースに格納させる格納指示ステップと、
を含む。
【００１０】
上記目的を達成するため、本発明に係る情報処理プログラムは、
医科レセプトと調剤レセプトとを含むレセプトデータを取得するレセプトデータ取得ステップと、
前記レセプトデータを元に、患者の属性と、前記患者の症状または病名と、前記症状または病名に応じて調剤された前記患者の調剤薬セットとを紐付ける調剤薬セット抽出ステップと、
前記調剤薬セット抽出ステップにおいて紐付けられた前記属性と前記症状または病名と前記調剤薬セットを、前記属性と前記症状または病名により検索可能にデータベースに格納させる格納指示ステップと、
をコンピュータに実行させる。
【００１１】
上記目的を達成するため、本発明に係る情報処理装置は、
医科レセプトと調剤レセプトとを含むレセプトデータを元に、患者の属性と、前記患者の症状または病名と、前記症状または病名に応じて調剤された前記患者の調剤薬セットとを紐付けて集積するデータベースと、
医師が入力した、患者の属性と症状または病名とを取得する診察情報取得部と、
前記データベースを参照して、前記診察情報取得部が取得した前記患者の属性と症状または病名とに対応した少なくとも１組の処方薬セットを前記医師に提示する処方薬セット提示部と、
を備える。
【００１２】
上記目的を達成するため、本発明に係る情報処理方法は、
医師が入力した、患者の属性と症状または病名とを取得する診察情報取得ステップと、
医科レセプトと調剤レセプトとを含むレセプトデータを元に、患者の属性と、前記患者の症状または病名と、前記症状または病名に応じて調剤された前記患者の調剤薬セットとを紐付けて集積するデータベースを参照して、前記診察情報取得部が取得した前記患者の属性と症状または病名とに対応した少なくとも１組の処方薬セットを前記医師に提示する処方薬セット提示ステップと、
を含む。
【００１３】
上記目的を達成するため、本発明に係る情報処理プログラムは、
医師が入力した、患者の属性と症状または病名とを取得する診察情報取得ステップと、
医科レセプトと調剤レセプトとを含むレセプトデータを元に、患者の属性と、前記患者の症状または病名と、前記症状または病名に応じて調剤された前記患者の調剤薬セットとを紐付けて集積するデータベースを参照して、前記診察情報取得部が取得した前記患者の属性と症状または病名とに対応した少なくとも１組の処方薬セットを前記医師に提示する処方薬セット提示ステップと、
をコンピュータに実行させる。
【発明の効果】
【００１６】
本発明によれば、信頼性の高い処方薬セットを提示することができる。
【図面の簡単な説明】
【００１７】
【図１】第１実施形態に係る処方支援システムの構成を示すブロック図である。
【図２Ａ】第２実施形態に係る処方支援システムにおける通信端末の表示画面を示す図である。
【図２Ｂ】第２実施形態に係る処方支援システムにおける通信端末の表示画面を示す図である。
【図２Ｃ】第２実施形態に係る処方支援システムにおける通信端末の表示画面を示す図である。
【図３Ａ】第２実施形態に係る処方支援システムの構成を示す図である。
【図３Ｂ】第２実施形態に係る処方支援システムの機能構成を示すブロック図である。
【図４】第２実施形態に係る処方支援システムの動作手順を示すシーケンス図である。
【図５】第２実施形態に係る調剤薬セット抽出部としての情報処理装置の機能構成を示すブロック図である。
【図６Ａ】第２実施形態に係る調剤薬セット抽出部において処理されるデータを示す図である。
【図６Ｂ】第２実施形態に係るレセプトデータの構成を示す図である。
【図６Ｃ】第２実施形態に係る検索データベースの構成を示す図である。
【図６Ｄ】第２実施形態に係る成人における大分類／小分類について示す図である。
【図６Ｅ】第２実施形態に係る成人における大分類／小分類について示す図である。
【図６Ｆ】第２実施形態に係る成人における大分類／小分類について示す図である。
【図６Ｇ】第２実施形態に係る成人における大分類／小分類について示す図である。
【図６Ｈ】第２実施形態に係る幼児・小児における大分類／小分類について示す図である。
【図６Ｉ】第２実施形態に係る幼児・小児における大分類／小分類について示す図である。
【図６Ｊ】第２実施形態に係る幼児・小児における大分類／小分類について示す図である。
【図６Ｋ】第２実施形態に係る幼児・小児における大分類／小分類について示す図である。
【図６Ｌ】第２実施形態に係る婦人科における大分類／小分類について示す図である。
【図６Ｍ】第２実施形態に係る婦人科における大分類／小分類について示す図である。
【図６Ｎ】第２実施形態に係る婦人科における大分類／小分類について示す図である。
【図６Ｏ】第２実施形態に係る婦人科における大分類／小分類について示す図である。
【図７】第２実施形態に係る調剤薬セット抽出部の処理手順を示すフローチャートである。
【図８】第２実施形態に係る調剤情報検索サーバとしての情報処理装置の機能構成を示すブロック図である。
【図９】第２実施形態に係る検索結果取得テーブルの構成を示す図である。
【図１０】第２実施形態に係る調剤情報検索サーバの処理手順を示すフローチャートである。
【図１１】第２実施形態に係る処方情報提供サーバとしての情報処理装置の機能構成を示すブロック図である。
【図１２】第２実施形態に係る処方情報画面生成テーブルの構成を示す図である。
【図１３】第２実施形態に係る処方情報提供サーバの処理手順を示すフローチャートである。
【図１４】第２実施形態に係る通信端末の機能構成を示すブロック図である。
【図１５】第２実施形態に係る通信端末の処理手順を示すフローチャートである。
【図１６】第３実施形態に係る処方支援システムにおける通信端末の検索入力画面を示す図である。
【図１７】第３実施形態に係る検索データベースの構成を示す図である。
【図１８】第４実施形態に係る調剤薬セット抽出部の機能構成を示すブロック図である。
【図１９】第４実施形態に係るレセプト発行元重み付けテーブルの構成を示す図である。
【図２０】第５実施形態に係る処方支援システムにおける通信端末の検索結果表示画面を示す図である。
【発明を実施するための形態】
【００１８】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。なお、本明細書においては、レセプトデータに基づいて薬局で調剤した薬セットを調剤薬セットと称し、医師を支援するために提示する薬セットを処方薬セットと称する。
【００１９】
［第１実施形態］
本発明の第１実施形態としての処方支援システム１００について、図１を用いて説明する。処方支援システム１００は、医師の処方箋発行を支援するシステムである。
【００２０】
図１に示すように、処方支援システム１００は、レセプトデータ取得部１０１と、データベース１０２と、診察情報取得部１０３と、処方薬セット提示部１０４と、を含む。レセプトデータ取得部１０１は、医科レセプトと調剤レセプトとを含むレセプトデータを取得する。データベース１０２は、レセプトデータを元に、患者の属性１２１と、患者の症状または病名１２２と、症状または病名１２２に応じて調剤された患者の調剤薬セット１２３とを紐付けて集積する。診察情報取得部１０３は、医師１１０が入力した、患者の属性と症状または病名とを取得する。処方薬セット提示部１０４は、データベース１０２を参照して、診察情報取得部１０３が取得した患者の属性１４１と症状または病名１４２とに対応した少なくとも１組の処方薬セット１４３を医師１１０に提示する。
【００２１】
本実施形態によれば、医科レセプトと調剤レセプトとを含むレセプトデータを用いるため、情報の質にバラツキがなく調剤も点検済であり、信頼性の高い処方薬セットを提示することができる。
【００２２】
［第２実施形態］
次に、本発明の第２実施形態に係る処方支援システムについて説明する。本実施形態に係る処方支援システムは、医科レセプトと調剤レセプトとを含むレセプトデータを元に、患者の属性や疾患または症状を検索条件として入力すると、医師が発行する処方箋の参考となる処方薬セットを例示する。なお、処方薬セットが複数ある場合は、出現頻度の高い処方薬セットから順に例示する。また、医師が検索結果に含める薬または含めない薬を指定すると、その指定に対応する処方薬セットを提示する。
【００２３】
＜処方支援システム＞
以下、図２Ａ〜図４を参照しながら、本実施形態の処方支援システムの構成および動作を説明する。
【００２４】
（通信端末の表示画面例）
図２Ａは、本実施形態に係る処方支援システムにおける通信端末２１０の表示画面を示す図である。
【００２５】
図２Ａには、医師が、患者の属性や患者の症状または病名により、処方薬セットの検索を要請する処方検索画面２１１と、検索結果の処方薬セットを表示する検索結果画面２１２とを示す。
【００２６】
処方検索画面２１１には、患者の属性として、例えば「患者の世代」が入力される。また、処方検索画面２１１には、患者の症状または病名として、例えば、階層化した「疾病・症状の大分類」や「小分類」が入力される。ここで、「大分類」、「小分類」は、以下の図６Ｄ〜図６Ｏに示される本実施形態において新たに生成された分類表に従う分類である。かかる分類により、検索条件として医師によって片寄らない患者の症状が入力可能である。さらに、図２Ａの処方検索画面２１１では、医師が検索結果に含めるべき薬を指定可能である。また、患者のアレルギーや既往歴などに基づいて検索結果に含めるべきでない薬の指定も可能である。なお、処方検索画面２１１における入力条件は、図２Ａに限定されない。
【００２７】
検索結果画面２１２には、検索条件のまとめと、検索結果およびその処方薬セットとが表示されている。図２Ａの検索結果画面２１２では、検索結果が３２件あったこと、そして、検索された各処方薬セットの概要が頻度順位に表示されている。
【００２８】
図２Ｂは、本実施形態に係る処方支援システムにおける通信端末２１０の検索結果である各処方薬セットの詳細内容の表示画面２１３を示す図である。表示画面２１３には、同じ処方薬のセットで、その用法・用量や処方日数が異なる組み合わせが提示されている。
【００２９】
なお、表示画面２１３の各処方薬をクリックすると、その処方薬の医薬品情報がさらに詳細に表示される。また、第３実施形態（図１６）で示す処方時期による処方薬セットにおいては、図２Ｂにおける処方薬の用法・用量や処方日数が考慮される。さらに、検索結果として、さらに外部マスタ（医療情報センタなど）と紐づけた適応症マスタなどの情報の併記をすることもできる。
【００３０】
図２Ｃは、検索結果である各処方薬セットに対する医師の評価をフィードバックする通信端末２１０の表示画面２１４、２１５を示す図である。表示画面２１４は、医師が“Ｄｏｏｄ！”を選択してよい評価をフィードバックした画面である。一方、表示画面２１５は、医師が“Ｂａｄ！”を選択して悪い評価をフィードバックした画面である。このフィードバックされた医師の評価結果は、重み付けを変化させることで以降の処方薬セットの検索に反映される。
【００３１】
（システム構成）
図３Ａは、本実施形態に係る処方支援システム３００の構成を示す図である。
【００３２】
処方支援システム３００は、ネットワーク３９０により接続される、医師３８１〜３８ｎが使用する汎用の通信端末２１０と、処方情報提供サーバ３３０と、を備える。また、処方支援システム３００は、処方情報提供サーバ３３０と接続される、調剤情報検索サーバ３２０と決済処理サーバ３７０とを備える。なお、処方情報提供サーバ３３０と調剤情報検索サーバ３２０と決済処理サーバ３７０とは、そのいずれかが一体に統合されたサーバとして実現されてもよい。さらに、処方支援システム３００は、ネットワーク３９０により接続される、あるいは、ネットワーク３９０を介さずに接続される、調剤薬セット抽出部３４０と、ＤＷＨ（データウェアハウス）３５０と、外部マスタ３６０と、を備える。ＤＷＨ３５０としては、厚労省や医療機関や薬局などが含まれる。また、外部マスタ３６０としては、医療情報センタなどが含まれる。
【００３３】
処方情報提供サーバ３３０は、通信端末２１０から入力された検索条件に従って、調剤情報検索サーバ３２０で検索された過去の他の医者による処方薬セットを参考として通信端末２１０に提示する。調剤情報検索サーバ３２０は、ＤＷＨ３５０と外部マスタ３６０とからのデータを元に、調剤薬セット抽出部３４０により生成された検索データベースから、患者の属性や症状あるいは病名を検索キーとして調剤薬セットを検索する。また、決済処理サーバ３７０は、通信端末２１０へのサービスの料金を決済する。
【００３４】
（機能構成）
図３Ｂは、本実施形態に係る処方支援システム３００の機能構成を示すブロック図である。なお、図３Ｂにおいて、図３Ａと同様の構成要素には同じ参照番号を付す。また、図３Ｂにおいては、図３Ａの医師３８１〜３８ｎは医師３８０として表している。
【００３５】
通信端末２１０には、処方支援アプリケーション（図中、処方支援アプリ）３１０がインストールされる。処方情報提供サーバ３３０には、医師３８０を登録する会員データベースや、通信端末２１０からの処方薬セットの検索申請を記憶する申請記録や、検索結果を保持する検索結果や、医師３８０へのお知らせを保持するお知らせ一覧などを有する。そして、処方情報提供サーバ３３０は、調剤情報検索サーバ３２０に検索申請を問い合わせる問合機能を備える。
【００３６】
また、調剤情報検索サーバ３２０は、検索データベース３２１を有し、処方情報提供サーバ３３０からの検索申請の問い合わせに応答する応答機能と、検索データベース３２１に検索条件に従った検索コードを送り、検索結果を取得して処方情報提供サーバ３３０に回答する検索エンジンと、を備える。
【００３７】
検索データベース３２１に内容は、ＤＷＨ３５０から取得した医療品マスタ３５１および医科レセプトと調剤レセプトとを含むレセプトデータ３５２と、外部マスタ３６０から取得した適応症マスタ３６１とを元に、世代別・疾患別の調剤薬セット抽出部３４０によって抽出生成される。
【００３８】
（動作シーケンス）
図４は、本実施形態に係る処方支援システム３００の動作手順を示すシーケンス図である。
【００３９】
調剤薬セット抽出部３４０は、ステップＳ４０１において、ＤＷＨ３５０からレセプトデータおよび医薬品マスタの送付を受ける。また、調剤薬セット抽出部３４０は、ステップＳ４０３において、外部マスタ３６０から適応症マスタの送付を受ける。調剤薬セット抽出部３４０は、ステップＳ４０５において、これらの診療データを集積する。そして、調剤薬セット抽出部３４０は、ステップＳ４０７において、集積したデータを元に調剤薬セットを抽出する。なお、図４では調剤薬セットの抽出と記載しているが、実際には、検索コード（キー）となるデータ、本実施例では、患者の属性や症状または病名を基に同様の調剤薬セットの出現数を比較して、頻度順位に調剤薬セットを並べる処理を行う。調剤薬セットの抽出結果は、検索データベース３２１に蓄積される。また、調剤薬セットの抽出結果は、調剤情報検索サーバ３２０に送られて、ステップＳ４０９において、検索データベース３２１に蓄積された調剤薬セットを検索する規格化された検索コード（キー）を生成する。そして、生成された検索コードは、調剤薬セットを検索可能に検索データベース３２１に蓄積される。処方情報提供サーバ３３０は、ステップＳ４１１において、生成された検索コードに対応する検索条件を入力するための処方検索画面を生成する。
【００４０】
なお、図４では、初期の、レセプトデータおよび医薬品マスタや、適応症マスタの収集のみを示している。しかし、レセプトデータおよび医薬品マスタや、適応症マスタの収集、特にレセプトデータの収集は持続的に行われて、検索データベース３２１が更新され、参照するレセプトデータが増加するに従い、より適切な調剤薬セットが検索できるよう学習される。
【００４１】
ステップＳ４２１においては、通信端末２１０と処方情報提供サーバ３３０と調剤情報検索サーバ３２０とで処方支援アプリケーションが起動される。かかる処方支援アプリケーションは、通信端末２１０にダウンロードされて起動される構成であっても、ブラウザにより接続される構成であってもよい。医師３８０は、通信端末２１０から、ステップＳ４２３において、処方支援を受けるための登録を行う。
【００４２】
処方情報提供サーバ３３０は、ステップＳ４２５において、ステップＳ４１１で生成した処方検索画面を通信端末２１０に出力する。通信端末２１０では、ステップＳ４２７において、処方検索画面が表示される。医師３８０は、ステップＳ４２９において、通信端末２１０から処方検索画面に対し検索条件を入力する。検索条件は、処方情報提供サーバ３３０を経由して調剤情報検索サーバ３２０に送られる。
【００４３】
調剤情報検索サーバ３２０は、ステップＳ４３１において、取得した検索条件を、検索データベース３２１を検索するための検索コードに変換して設定する。そして、調剤情報検索サーバ３２０は、ステップＳ４３３において、検索データベース３２１に対して検索処理を指示する。検索データベース３２１は、検索コードにより検索を行い、検索結果を調剤情報検索サーバ３２０に出力する。本実施形態において、検索コードは患者の属性と患者の症状または病名に対応し、検索結果は患者の属性と患者の症状または病名に紐付いた少なくとも１つの調剤薬セットであり、複数の検索結果がある場合は頻度順位を付けて出力する。なお、検索結果は直接、検索データベース３２１に対して、あるいは、ステップＳ４４１のように調剤薬セット抽出部３４０から検索データベース３２１にフィードバックされて、検索データベース３２１の内容が更新される。
【００４４】
調剤情報検索サーバ３２０は、ステップＳ４３５において、検索結果の調剤薬セットを処方情報提供サーバ３３０に返す。処方情報提供サーバ３３０は、ステップＳ４３７において、検索結果の処方薬セットを表示する画面を生成して、通信端末２１０に送信する。通信端末２１０は、受信した検索結果の処方薬セットを表示する。なお、図示しないが、処方情報提供サーバ３３０では、検索結果の処方薬セットから医師３８０が含むよう指示した薬を含む処方薬セットが選別され、一方、医師３８０が含まないよう指示した薬を含む処方薬セットが省かれて、通信端末２１０に表示される。
【００４５】
さらに、ステップＳ４４３において、医師が通信端末２１０から検索結果の各処方薬セットに対する評価を入力すると、ステップＳ４４５のように調剤薬セット抽出部３４０から検索データベース３２１にフィードバックされて、検索データベース３２１の内容が更新される（図２Ｃ参照）。
【００４６】
＜調剤薬セット抽出部＞
以下、図５〜図７を参照して、医科レセプタと調剤レセプタとを含むレセプトデータを元に検索データベース３２１を生成する調剤薬セット抽出部３４０としての情報処理装置の構成および動作を説明する。
【００４７】
（機能構成）
図５は、本実施形態に係る調剤薬セット抽出部３４０の機能構成を示すブロック図である。
【００４８】
調剤薬セット抽出部３４０は、入力インタフェース・通信制御部５０１と、診療データ収集部５０２と、診療データベース５０３と、を備える。また、調剤薬セット抽出部３４０は、抽出条件記憶部５０４と、調剤薬セット読出部５０５と、統計処理部５０６と、検索用データ格納指示部５０７と、を備える。
【００４９】
入力インタフェース・通信制御部５０１は、ＤＷＨ３５０や外部マスタ３６０からのデータの収集のための接続を制御する。診療データ収集部５０２は、入力インタフェース・通信制御部５０１を介して、ＤＷＨ３５０からの医薬品マスタやレセプトデータ、および、外部マスタ３６０からの適応症マスタ（医薬品と対応病名データ）を収集する。診療データベース５０３は、診療データ収集部５０２が収集したデータを集積する。
【００５０】
抽出条件記憶部５０４は、検索時の検索条件に対応する抽出条件を記憶する。調剤薬セット読出部５０５は、抽出条件記憶部５０４に記憶された抽出条件によって診療データベース５０３から調剤薬セットを抽出する。統計処理部５０６は、抽出された調剤薬セットを統計処理する。本実施形態では、例えば、類似の抽出条件で抽出された同じ調剤薬セットの出現数から出現頻度を求め、出現頻度が高い順に順位を設定する。検索用データ格納指示部５０７は、検索条件で検索された調剤薬セットが、出現頻度が高い順に提示されるように検索データベース３２１への格納を指示する。なお、例えば、抽出条件記憶部５０４には、本実施形態の大分類と小分類の分類表が記憶されており、以降の処理により、検索データベース３２１における検索キーとして付加される。
【００５１】
（データ構成）
図６Ａは、本実施形態に係る調剤薬セット抽出部３４０において処理されるデータを示す図である。
【００５２】
診療データベース５０３に収集して格納されたデータとしては、医科レセプト３５３と調剤レセプト３５４とを含むレセプトデータ３５２と、医療品マスタ３５１と、適応症マスタ３６１と、が含まれる。医科レセプト３５３には、患者の生年月日、診断病名、処方箋情報などが含まれる。調剤レセプト３５４には、処方箋情報、調剤医療品、処方数量（処方日数に対応）、用法・用量などが含まれる。医療品マスタ３５１には、各医療品についての規格と薬価とが含まれる。適応症マスタ３６１には、既存の医療品と適応症との対応が記憶される。
【００５３】
検索データベース３２１に集積される調剤薬セット検索テーブル６２２には、患者の属性としての世代、症状、調剤薬セット情報、調剤薬セットの頻度順位、用法・用量、処方日数などが含まれる。
【００５４】
図６Ｂは、本実施形態に係るレセプトデータの構成を示す図である。レセプトデータは、医科レセプト３５３と調剤レセプト３５４とが含まれる。
【００５５】
図６Ｂの上図は、医科レセプト３５３の様式例と、医科レセプト３５３から抽出できるデータ項目例が示されている。例えば、医科レセプト３５３の診療年月欄から「診療年月日」が得られ、患者欄からは「氏名（患者ＩＤ）」、「性別」、「年齢」が読み取られ、医療機関欄からは「医療機関名（施設ＩＤ）」、「所在地」、「病床数」、「診療科」が得られる。また、医科レセプト３５３の傷病欄から「傷病名」、「疑い病名」、「診療開始日」、「診療実日数」、「転帰」が得られ、摘要欄から処方箋の「医療品名」、「投与量」、「投与日数」、「投与回数」、「検査項目・回数」、「処置・手術内容」、「保健医療材料名・数量」、「診療区分」が得られる。なお、本実施形態においては、「性別」はオプションである。
【００５６】
図６Ｂの下図は、調剤レセプト３５４の様式例と、調剤レセプト３５４から抽出できるデータ項目例が示されている。例えば、調剤レセプト３５４の調剤年月欄から「調剤年月日」が得られ、患者欄からは「氏名（患者ＩＤ）」、「性別」、「年齢」が得られ、薬局欄から「薬局名（施設ＩＤ）」、「所在地」が得られ、医療機関欄からは「医療機関名（施設ＩＤ）」、「所在地」、「医師名」が得られる。また、調剤レセプト３５４の処方欄から「処方医師番号」、「処方年月日」、調剤した「医療品名」、「規格」、「投与量」、「投与日数・処方回数」、「剤形・用法」が得られる。なお、本実施形態においては、「性別」はオプションである。
【００５７】
かかる医科レセプト３５３から得られるデータと、調剤レセプト３５４とから得られるデータとを照合して、患者の属性と、患者の症状または病名と、調剤薬セットとが紐付けられる。
【００５８】
（検索データベース）
図６Ｃは、本実施形態に係る検索データベース３２１の構成を示す図である。検索データベース３２１は、患者の属性と患者の症状または病名を検索キーとして検索し、検索結果として頻度順位に並んだ調剤薬セットを出力するように、調剤薬セットを蓄積するデータベースである。
【００５９】
検索データベース３２１は、患者の属性６０１と患者の症状または病名６０２に対応付けて、少なくとも１つの調剤薬セット情報６０３を記憶する。患者の属性６０１としては、性別や世代が含まれるが、本実施形態において「性別」はオプションである。世代は、例えば、幼児・小児、成人である。さらに、婦人科（妊婦）を別の独立した属性とする。また、患者の症状または病名６０２としては、本実施形態で提案する大分類、小分類を使用することにより、診療の医者による個人差を吸収して偏りのないデータベースとなっている。なお、属性は本例に限定されない、また、世代の分け方も本例に限定されない。
【００６０】
複数の調剤薬セット情報６０３が含まれる場合は、出現する頻度順位６０４を記憶する。各調剤薬セット情報６０３に対応して、複数の調剤薬６０５を記憶し、各調剤薬６０５は用法・用量６０６と、処方日数６０７と、医療品マスタから取得した医療品情報６０８と、を記憶する。
【００６１】
（大分類と小分類）
図６Ｄ〜図６Ｏは、本実施形態で使用する、世代別および婦人科の大分類と小分類とを示す図である。図６Ｄ〜図６Ｇは成人の大分類と小分類の表６２１を示し、図６Ｈ〜図６Ｋは幼児・小児の大分類と小分類の表６２２を示し、図６Ｌ〜図６Ｏは婦人科の大分類と小分類の表６２３を示す。
【００６２】
本実施形態の大分類と小分類は、症状別で検索できるようにしているため、異なる大分類の中に同じ症状（小分類）を検索対象とするなど検索の使いやすさを向上させている。すなわち、既存の疾病分類表（例えば、ICD10）では検索する症状によって、投薬という点では細分類を使った方がいいもの、小分類を使った方がいいものがある。したがって、本実施形態では、医師の視点から整理してもらうことで、より妥当性の高い処方薬セットを出せるようにした。
【００６３】
（処理手順）
図７は、本実施形態に係る調剤薬セット抽出部３４０の処理手順を示すフローチャートである。このフローチャートは、調剤薬セット抽出部３４０を制御するＣＰＵがＲＡＭを使用して実行し、図５の調剤薬セット抽出部３４０の構成要素を実現する。
【００６４】
調剤薬セット抽出部３４０は、ステップＳ７０１において、外部マスタ３６０から既存の適応症マスタを取得する。調剤薬セット抽出部３４０は、ステップＳ７０３において、ＤＷＨ３５０から医薬品マスタを取得する。調剤薬セット抽出部３４０は、ステップＳ７０７において、既存の適応症マスタと医療品マスタとから、図６Ｃに示す構成の検索データベース３２１に検索条件と処方される薬セットとを初期設定する。
【００６５】
調剤薬セット抽出部３４０は、ステップＳ７０９において、ＤＷＨ３５０から医科レセプタを取得し、ステップＳ７１１において、調剤レセプタを取得する。なお、既に医科レセプタと調剤レセプタとが合体されていれば、ステップＳ７１０で両レセプトを取得する。調剤薬セット抽出部３４０は、ステップＳ７１３において、医科レセプタと調剤レセプタとを元に、患者の属性と、症状または病名と、調剤薬セットとの紐付けを行う。この時に、症状または病名として本実施形態の大分類と小分類とが使用されて、検索結果の改善が図られる。
【００６６】
調剤薬セット抽出部３４０は、ステップＳ７１５において、レセプトから抽出した調剤薬セットに新しい医薬品があるか否かを判定する。そして、調剤薬セットに新しい医薬品があれば、調剤薬セット抽出部３４０は、ステップＳ７１７において、その新しい医薬品の情報をＤＷＨ３５０の医薬品マスタから取得する。なお、新しい医薬品の調剤履歴を別途収集して、医師に提示することも有用である。
【００６７】
調剤薬セット抽出部３４０は、ステップＳ７１９において、同様の患者の属性と症状または病名との条件における調剤薬セットの出現頻度から順位を設定するなどの統計処理を実行する。そして、調剤薬セット抽出部３４０は、ステップＳ７２１において、新たに取得されたレセプトデータによる調剤薬セットの情報を検索データベース３２１に追加して更新を図る。レセプトデータが少ない場合には、検索データベース３２１の信頼性が低いので、調剤薬セット抽出部３４０は、ステップＳ７２３において、レセプトデータが充分であるかを判定する。レセプトデータの集積が充分でなければ、調剤薬セット抽出部３４０は、ステップＳ７０９（Ｓ７１０）に戻って、集積したレセプトデータが充分で検索データベース３２１の信頼性が高くなるまで、検索データベース３２１への追加更新を繰り返す。
【００６８】
レセプトデータの集積が充分であれば、調剤薬セット抽出部３４０は、ステップＳ７２５において、検索データベース３２１の検索使用を可能とする。調剤薬セット抽出部３４０は、ステップＳ７２７において、調剤薬セット抽出処理の中断または中止の判定をし、調剤薬セット抽出処理の中断または中止が指示されない限り、ステップＳ７０９（Ｓ７１０）〜Ｓ７２７の処理を繰り返して、検索データベース３２１における学習を進める。
【００６９】
＜調剤情報検索サーバ＞
以下、図８〜図１０を参照して、患者の属性や患者の症状または病名により調剤薬セットを検索する調剤情報検索サーバ３２０としての情報処理装置の構成および動作を説明する。
【００７０】
（機能構成）
図８は、本２実施形態に係る調剤情報検索サーバ３２０の機能構成を示すブロック図である。
【００７１】
調剤情報検索サーバ３２０は、アプリケーション・インタフェース（ＡＰＩ）８０１と、検索条件取得部８０２と、検索コード（式）生成部８０３と、検索結果取得部８０４と、検索結果回答部８０５と、を備える。
【００７２】
アプリケーション・インタフェース（ＡＰＩ）８０１は、通信端末２１０と接続して処方薬セットを提示する処方情報提供サーバ３３０との間とのデータ交換を制御する。検索条件取得部８０２は、通信端末２１０から入力された検索条件を、処方情報提供サーバ３３０を介して取得する。検索コード（式）生成部８０３は、検索条件取得部８０２が取得した検索条件から、検索データベース３２１を検索可能な検索コード（式）を生成する。
【００７３】
検索結果取得部８０４は、検索結果取得テーブル８４１を有し、検索コード（式）により検索データベース３２１から検索した結果を取得して、処方情報提供サーバ３３０に回答する検索結果を生成する。検索結果回答部８０５は、検索結果取得部８０４が取得して生成した検索結果を処方情報提供サーバ３３０に回答する。
【００７４】
（検索結果取得テーブル）
図９は、本実施形態に係る検索結果取得テーブル８４１の構成を示す図である。検索結果取得テーブル８４１は、検索結果取得部８０４が、検索コード（式）により検索データベース３２１から取得した検索結果を回答形式にまとめるために使用される。
【００７５】
検索結果取得テーブル８４１は、検索条件の患者の属性９０１と患者の症状または病名９０２とに対応付けて、複数の検索結果の場合は頻度順位９０４により順位付けられた調剤薬セット情報９０３を記憶する。各調剤薬セット情報９０３に対応して、複数の調剤薬９０５を記憶し、各調剤薬９０５は用法・用量９０６と、処方日数９０７と、医療品マスタから取得した医療品情報９０８と、を記憶する。なお、患者の属性９０１における性別はオプションである。
【００７６】
（処理手順）
図１０は、本実施形態に係る調剤情報検索サーバ３２０の処理手順を示すフローチャートである。このフローチャートは、調剤情報検索サーバ３２０を制御するＣＰＵがＲＡＭを使用して実行し、図８の調剤情報検索サーバ３２０の構成要素を実現する。
【００７７】
調剤情報検索サーバ３２０は、ステップＳ１００１において、処方情報提供サーバ３３０からの検索要請を待機する。検索要請があれば、調剤情報検索サーバ３２０は、ステップＳ１００３において、処方情報提供サーバ３３０から検索条件を取得する。そして、調剤情報検索サーバ３２０は、ステップＳ１００５において、取得した検索条件を、検索データベース３２１を検索するための検索コード（式）に変換する。
【００７８】
調剤情報検索サーバ３２０は、ステップＳ１００７において、検索コード（式）によって検索データベース３２１を検索する。調剤情報検索サーバ３２０は、ステップＳ１００９において、検索データベース３２１から検索結果を取得する。調剤情報検索サーバ３２０は、ステップＳ１０１１において、検索結果を処方情報提供サーバ３３０に回答する。調剤情報検索サーバ３２０は、ステップＳ１０１３において、検索処理の中止を判定し、中止でなければ、ステップＳ１００１〜Ｓ１０１３の検索処理を繰り返す。
【００７９】
＜処方情報提供サーバ＞
以下、図１１〜図１３を参照して、通信端末２１０からの調剤薬セットの検索要求を受けて、調剤情報検索サーバ３２０に検索を要請し、検索結果を通信端末２１０に提示する処方情報提供サーバ３３０としての情報処理装置の構成および動作を説明する。
【００８０】
（機能構成）
図１１は、本実施形態に係る処方情報提供サーバ３３０の機能構成を示すブロック図である。
【００８１】
処方情報提供サーバ３３０は、通信制御部１１０１と、医師情報取得部１１０２と、会員データベース１１０３と、医師認証部１１０４と、アプリケーション・インタフェース１１０５と、を備える。また、処方情報提供サーバ３３０は、検索条件取得部１１０６と、処方検索画面生成部１１０７と、処方検索画面送信部１１０８と、を備える。また、処方情報提供サーバ３３０は、処方検索画面受信部１１０９と、検索条件送信部１１１０と、検索結果取得部１１１１と、処方薬セット選択指示部１１１２と、処方情報画面生成部１１１３と、処方情報画面送信部１１１４と、を備える。
【００８２】
通信制御部１１０１は、通信端末２１０との通信を制御する。医師情報取得部１１０２は、通信端末２１０から、通信端末２１０を用いて処方薬セットの提示を要請する医師の情報を取得する。会員データベース１１０３は、取得した医師の情報を登録する。医師認証部１１０４は、医師が処方薬セットの提示を要請する場合に、会員データベース１１０３の会員登録情報を用いて要請医師を認証する。アプリケーション・インタフェース１１０５は、調剤情報検索サーバ３２０との接続を制御する。
【００８３】
検索条件取得部１１０６は、調剤情報検索サーバ３２０から検索データベース３２１の検索条件を取得する。処方検索画面生成部１１０７は、取得した検索条件に従って通信端末２１０に表示する検索条件入力用の処方検索画面を生成する。処方検索画面送信部１１０８は、処方支援アプリを起動した通信端末２１０に処方検索画面を送信する。処方検索画面受信部１１０９は、通信端末２１０から、医師が患者の属性や患者の症状または病名などの検索条件を設定した処方検索画面を受信する。検索条件送信部１１１０は、処方検索画面から属性や患者の症状または病名などの検索条件を抽出して、調剤情報検索サーバ３２０に送信し、調剤薬セットの検索を依頼する。
【００８４】
検索結果取得部１１１１は、調剤情報検索サーバ３２０から、検索条件送信部１１１０が送信した検索条件に対応する検索結果を取得する。処方薬セット選択指示部１１１２は、処方検索画面受信部１１０９が受信した処方検索画面に、検索結果の調剤薬セットから医師に提示する処方薬セットを選択する指示情報が含まれていれば、処方情報画面生成部１１１３に処方薬セットの選択を指示する。例えば、処方検索画面に検索に含める薬や結果に含めない薬が設定されている場合、処方薬セット選択指示部１１１２は、処方情報画面から検索に含める薬の無い処方薬セットや検索に含めない薬の有る処方薬セットを削除する。
【００８５】
処方情報画面生成部１１１３は、処方情報画面生成テーブル１１３１を有し、取得した検索結果から、処方薬セット選択指示部１１１２の指示も考慮して処方情報画面を生成する。処方情報画面送信部１１１４は、生成された処方情報画面を検索元の通信端末２１０に送信する。
【００８６】
（処方情報画面生成テーブル）
図１２は、本実施形態に係る処方情報画面生成テーブル１１３１の構成を示す図である。処方情報画面生成テーブル１１３１は、処方情報画面生成部１１１３が、取得した検索結果から処方情報画面を生成するために用いられる。なお、図１２において、図９と同様の構成要素には同じ参照番号を付して、重複する説明を省略する。
【００８７】
処方情報画面生成テーブル１１３１は、検索条件を表示する画面を生成するためのテーブル１２１０と、検索結果の処方薬セットを表示する画面を生成するためのテーブル１２２０と、処方薬の詳細情報を表示する画面を生成するためのテーブル１２３０と、を含む。
【００８８】
テーブル１２１０は、検索条件に対応付けて検索条件表示画像１２１１を記憶する。テーブル１２２０は、検索結果の処方薬セットに対応付けて、処方薬表示画像１２２１と、処方薬セット選択指示部１１１２からの指示として、処方薬セットごとの「含める薬」の指定による表示可否（○が表示、×が非表示）１２２２と、「含めない薬」の指定による表示可否（○が表示、×が非表示）１２２３と、を記憶する。テーブル１２３０は、処方薬の医療品情報による医療品詳細表示画像１２３１を記憶する。
【００８９】
（処理手順）
図１３は、本実施形態に係る処方情報提供サーバ３３０の処理手順を示すフローチャートである。このフローチャートは、処方情報提供サーバ３３０を制御するＣＰＵがＲＡＭを使用して実行し、図１１の処方情報提供サーバ３３０の構成要素を実現する。
【００９０】
処方情報提供サーバ３３０は、ステップＳ１３１１において、医師の登録か否かを判定する。医師の登録であれば、処方情報提供サーバ３３０は、ステップＳ１３１３において、通信端末２１０から医師の情報を取得する。そして、処方情報提供サーバ３３０は、ステップＳ１３１５において、医師の情報を会員データベース１１０３に登録する。
【００９１】
医師の登録でなければ、処方情報提供サーバ３３０は、ステップＳ１３２１において、通信端末２１０から処方支援の要請が有ったか否かを判定する。通信端末２１０から処方支援の要請が有った場合、処方情報提供サーバ３３０は、ステップＳ１３２３において、通信端末２１０に検索条件を入力するための処方検索画面を送信する。そして、処方情報提供サーバ３３０は、ステップＳ１３２５において、通信端末２１０からの検索条件の受信を待つ。検索条件を受信すると、処方情報提供サーバ３３０は、ステップＳ１３２７において、検索条件を調剤情報検索サーバ３２０に送信する。そして、処方情報提供サーバ３３０は、ステップＳ１３２９において、調剤情報検索サーバ３２０からの検索結果の回答を待つ。
【００９２】
検索結果の回答があれば、処方情報提供サーバ３３０は、ステップＳ１３３１において、検索結果の回答を取得する。処方情報提供サーバ３３０は、ステップＳ１３３３において、検索結果に対して表示する処方薬セットの選別を行うか否かを判定する。表示する処方薬セットの選別を行う場合、処方情報提供サーバ３３０は、ステップＳ１３３５において、含める薬／含めない薬などにより、提示する処方薬セットを選別する。処方情報提供サーバ３３０は、ステップＳ１３３７において、処方薬セットの表示画面を生成し、ステップＳ１３３９において、処方薬セットの表示画面を検索要請元の通信端末２１０に送信する。
【００９３】
＜通信端末＞
以下、図１４および図１５を参照して、医師が処方支援として処方薬セットの検索を指示すると、検索結果を表示する通信端末２１０の構成および動作を説明する。
【００９４】
（機能構成）
図１４は、本実施形態に係る通信端末２１０の機能構成を示すブロック図である。
【００９５】
通信端末２１０は、通信制御部１４０１と、処方支援アプリ取得部１４０２と、処方支援アプリ実行部１４０３と、入出力インタフェース１４０４と、を備える。
【００９６】
通信制御部１４０１は、処方情報提供サーバ３３０との通信を制御する。処方支援アプリ取得部１４０２は、通信端末２１０で実行する処方支援アプリケーションを取得する。処方支援アプリ実行部１４０３は、取得した処方支援アプリケーションを実行する。入出力インタフェース１４０４は、表示部１４４１や操作部１４４２などの入出力機器との接続を行う。
【００９７】
処方支援アプリ実行部１４０３は、医師情報取得部１４３１と、医師情報登録指示部１４３２と、検索条件入力画面取得部１４３３と、検索条件入力画面表示制御部１４３４と、を備える。また、処方支援アプリ実行部１４０３は、検索条件取得部１４３５と、検索条件送信部１４３６と、処方薬セット表示画面受信部１４３７と、処方薬セット表示画面表示制御部１４３８と、を備える。
【００９８】
医師情報取得部１４３１は、医師登録にために操作部１４４２から入力された医師情報を取得する。医師情報登録指示部１４３２は、取得した医師情報を処方情報提供サーバ３３０に送信して医師登録を指示する。検索条件入力画面取得部１４３３は、処方情報提供サーバ３３０から検索条件を入力する画面として処方検索画面を取得する。検索条件入力画面表示制御部１４３４は、取得した処方検索画面を表示部１４４１に表示させる。検索条件取得部１４３５は、処方検索画面に対して操作部１４４２から入力された検索条件を取得する。検索条件送信部１４３６は、取得した検索条件を処方薬セットの検索要請として処方情報提供サーバ３３０に送信する。処方薬セット表示画面受信部１４３７は、検索要請の回答として、処方情報提供サーバ３３０から検索結果の処方薬セットの表示画面を受信する。処方薬セット表示画面表示制御部１４３８は、受信した検索結果の処方薬セットの表示画面を表示部１４４１に表示させる。
【００９９】
（処理手順）
図１５は、本実施形態に係る通信端末２１０の処理手順を示すフローチャートである。このフローチャートは、通信端末２１０を制御するＣＰＵがＲＡＭを使用して実行し、図１４の通信端末２１０の構成要素を実現する。
【０１００】
通信端末２１０は、ステップＳ１５１１において、処方支援アプリの起動か否かを判定する。処方支援アプリの起動であれば、通信端末２１０は、ステップＳ１５１３において、処方支援アプリを取得して、ステップＳ１５１５において、処方支援アプリを起動する。
【０１０１】
通信端末２１０は、ステップＳ１５１７において、医師の登録が必要（未登録）か否かを判定する。医師の登録が必要であれば、通信端末２１０は、ステップＳ１５１９において、医師情報を取得して、ステップＳ１５２１において、取得した医師情報を処方情報提供サーバ３３０に送信する。
【０１０２】
処方支援アプリが起動中であれば、通信端末２１０は、ステップＳ１５３１において、処方薬セットの検索要請か否かを判定する。処方薬セットの検索要請であれば、通信端末２１０は、ステップＳ１５３３において、処方情報提供サーバ３３０から検索条件の入力画面である処方検索画面を取得する。そして、通信端末２１０は、ステップＳ１５３５において、処方検索画面を表示する。
【０１０３】
通信端末２１０は、ステップＳ１５３７において、操作部１４４２からの検索条件の入力を待つ。検索条件の入力があれば、通信端末２１０は、ステップＳ１５３９において、検索条件を処方情報提供サーバ３３０に送信する。そして、通信端末２１０は、ステップＳ１５４１において、処方情報提供サーバ３３０からからの検索結果の回答を待つ。検索結果の回答があれば、通信端末２１０は、ステップＳ１５４３において、検索結果である処方薬セットを表示する。
【０１０４】
本実施形態によれば、医科レセプトと調剤レセプトとを含むレセプトデータを用いるため、情報の質にバラツキがなく調剤も点検済であり、信頼性の高い処方薬セットを提示することができる。また、医師が処方薬セットに含めたい薬を指定することができるため、例えば、新薬の処方例などを知ることができる。また、医師が処方薬セットに含めたくない薬を指定することができるため、例えば、患者に対応した適切な処方例などを知ることができる。
【０１０５】
すなわち、レセプトデータを用いるため、レセプトでは記載できる病名が決まっているため（厚生労働省の標準病名による）、医師や薬剤師の表記ゆれによるばらつきは少なくなることが想定される（医事課において、レセプトとして提出するべき形にする作業＝チェック等、が行われるため、標準化がされる）。また、本実施形態の大分類と小分類を用いることにより、症状別で検索できるようにしているため、異なる大分類の中に同じ症状（小分類）を検索対象とするなど検索の使いやすさを向上させ、より妥当性の高い処方薬セットを出せるようにした。
【０１０６】
［第３実施形態］
次に、本発明の第３実施形態に係る処方支援システムについて説明する。本実施形態に係る処方支援システムは、上記第２実施形態と比べると、処方箋を発行する時期を考慮した処方薬セットを提示する点で異なる。処方箋を発行する時期とは、例えば、初診時、診療の継続時、処方薬セットの変更時などを含む。その他の構成および動作は、第２実施形態と同様であるため、同じ構成および動作については同じ符号を付してその詳しい説明を省略する。
【０１０７】
（通信端末の検索入力画面）
図１６は、本実施形態に係る処方支援システムにおける通信端末２１０の検索入力画面１６１１を示す図である。なお、図１６において、図２Ａの処方検索画面２１１と同様の構成要素の説明は省略する。
【０１０８】
検索入力画面１６１１は、処方箋を発行する発行時期が、診療期間中における、「初診時」であるか、「診療継続時」であるか、「処方の変更時」であるか、を設定する欄１６１２と、既往歴を入力する欄１６１３とを有する。本実施形態にいては、処方箋を発行する時期によって異なる処方薬セット、特に、用法や用量、あるいは、処方日数などを適性化することができる。
【０１０９】
（検索データベース）
図１７は、本実施形態に係る検索データベース１７２１の構成を示す図である。なお、図１７において、図６Ｃと同様の構成要素には同じ参照番号を付して、重複する説明を省略する。
【０１１０】
検索データベース１７２１には、処方時期１７０１によって、さらに調剤薬セットが細分化されて、処方時期に適した調剤薬セットが格納される。
【０１１１】
本実施形態によれば、他の実施形態の効果に加えて、処方箋を発行する時期を考慮した支援ができるので、より間違いのない処方箋の発行ができる。
【０１１２】
［第４実施形態］
次に、本発明の第３実施形態に係る処方支援システムについて説明する。本実施形態に係る処方支援システムは、上記第２実施形態および第３実施形態と比べると、レセプトデータの発行元を考慮して処方箋発行の支援をする点で異なる。その他の構成および動作は、第２実施形態および第３実施形態と同様であるため、同じ構成および動作については同じ符号を付してその詳しい説明を省略する。
【０１１３】
＜調剤薬セット抽出部＞
図１８は、本実施形態に係る調剤薬セット抽出部１８４０としての情報処理装置の機能構成を示すブロック図である。なお、図１８において、図５と同様の構成要素には同じ参照番号を付して、重複する説明を省略する。
【０１１４】
調剤薬セット抽出部１８４０は、レセプト発行元重み付けテーブル１８６１を有する統計処理部１８０６を備える。統計処理部１８０６における、例えば頻度順位の設定において、レセプト発行元が総合病院からであるか診療所からであるかなどによって、レセプトに重みを付けて出現頻度を算出することで、個人医師に片寄らない調剤薬セットの検索を可能にすることができる。
【０１１５】
（レセプト発行元重み付けテーブル）
図１９は、本実施形態に係るレセプト発行元重み付けテーブル１８６１の構成を示す図である。レセプト発行元重み付けテーブル１８６１は、調剤薬セット抽出部１８４０の統計処理部１８０６が、個人医師に片寄らない調剤薬セットの検索を可能にする検索データベース３２１を生成するのに用いられる。
【０１１６】
レセプト発行元重み付けテーブル１８６１は、患者の属性と患者の症状または病名とに対応する調剤薬セットのデータ１９０１に加えて、処方発行元１９０２と順位付けの重み１９０３を記憶する。なお、患者の属性における性別はオプションである。
【０１１７】
本実施形態によれば、他の実施形態の効果に加えて、より信憑性の高いレセプトデータを元に処方箋発行の支援をすることができる。
【０１１８】
［第５実施形態］
次に、本発明の第３実施形態に係る処方支援システムについて説明する。本実施形態に係る処方支援システムは、上記第２実施形態から第４実施形態と比べると、診療履歴を考慮した処方箋発行の支援をする点で異なる。その他の構成および動作は、第２実施形態から第４実施形態と同様であるため、同じ構成および動作については同じ符号を付してその詳しい説明を省略する。
【０１１９】
（通信端末の検索結果表示画面）
図２０は、本実施形態に係る処方支援システムにおける通信端末２０１０の検索結果表示画面２０１１を示す図である。
【０１２０】
通信端末２０１０の検索結果表示画面２０１１には、検索条件と、検索結果の処方薬セットの各処方薬Ａ、ＢおよびＢについて処方用量の履歴がグラフで表示されている。かかるグラフを参照すれば、医師は現在の適切な用量を参照可能となる。なお、本実施形態では用量のみの経過を取り上げたがこれに限定されない。例えば、処方薬の変更においても、経過と用量が一目で参照できる。
【０１２１】
本実施形態によれば、他の実施形態の効果に加えて、患者への投薬の経緯に合った処方箋発行の支援をすることができる。
【０１２２】
［他の実施形態］
なお、上記実施形態においては詳細に説明していないが、例えば、薬の副作用、患者の既往歴、薬との併用禁忌や食物との併用禁忌なども考慮することで、より患者に対して適切な処方箋発行の支援をすることができる。上記実施形態に対するこれらの追加や変更は、上記実施形態から自明である。
【０１２３】
以上、実施形態を参照して本願発明を説明したが、本願発明は上記実施形態に限定されるものではない。本願発明の構成や詳細には、本願発明の技術的範囲で当業者が理解し得る様々な変更をすることができる。また、それぞれの実施形態に含まれる別々の特徴を如何様に組み合わせたシステムまたは装置も、本発明の技術的範囲に含まれる。
【０１２４】
また、本発明は、複数の機器から構成されるシステムに適用されてもよいし、単体の装置に適用されてもよい。さらに、本発明は、実施形態の機能を実現する情報処理プログラムが、システムあるいは装置に供給され、内蔵されたプロセッサによって実行される場合にも適用可能である。本発明の機能をコンピュータで実現するために、コンピュータにインストールされるアプリケーションプログラム、あるいはそのプログラムを格納した媒体、そのプログラムをダウンロードさせるサーバも、プログラムを実行するプロセッサも本発明の技術的範囲に含まれる。特に、少なくとも、上述した実施形態に含まれる処理ステップをコンピュータに実行させるプログラムを格納した非一時的コンピュータ可読媒体（non-transitory computer readable medium）は本発明の技術的範囲に含まれる。
【要約】
【課題】本発明によれば、信頼性の高い処方薬セットを提示することができる。
【解決手段】医科レセプトと調剤レセプトとを含むレセプトデータを取得するレセプトデータ取得部と、レセプトデータを元に、患者の属性と、患者の症状または病名と、症状または病名に応じて調剤された患者の調剤薬セットとを紐付けて集積するデータベースと、医師が入力した、患者の属性と症状または病名とを取得する診察情報取得部と、データベースを参照して、診察情報取得部が取得した患者の属性と症状または病名とに対応した少なくとも１組の処方薬セットを医師に提示する処方薬セット提示部と、を備える。
【選択図】  図１【図１】
0006890364.tif 000002
【図２Ａ】
0006890364.tif 000003
【図２Ｂ】
0006890364.tif 000004
【図２Ｃ】
0006890364.tif 000005
【図３Ａ】
0006890364.tif 000006
【図３Ｂ】
0006890364.tif 000007
【図４】
0006890364.tif 000008
【図５】
0006890364.tif 000009
【図６Ａ】
0006890364.tif 000010
【図６Ｂ】
0006890364.tif 000011
【図６Ｃ】
0006890364.tif 000012
【図６Ｄ】
0006890364.tif 000013
【図６Ｅ】
0006890364.tif 000014
【図６Ｆ】
0006890364.tif 000015
【図６Ｇ】
0006890364.tif 000016
【図６Ｈ】
0006890364.tif 000017
【図６Ｉ】
0006890364.tif 000018
【図６Ｊ】
0006890364.tif 000019
【図６Ｋ】
0006890364.tif 000020
【図６Ｌ】
0006890364.tif 000021
【図６Ｍ】
0006890364.tif 000022
【図６Ｎ】
0006890364.tif 000023
【図６Ｏ】
0006890364.tif 000024
【図７】
0006890364.tif 000025
【図８】
0006890364.tif 000026
【図９】
0006890364.tif 000027
【図１０】
0006890364.tif 000028
【図１１】
0006890364.tif 000029
【図１２】
0006890364.tif 000030
【図１３】
0006890364.tif 000031
【図１４】
0006890364.tif 000032
【図１５】
0006890364.tif 000033
【図１６】
0006890364.tif 000034
【図１７】
0006890364.tif 000035
【図１８】
0006890364.tif 000036
【図１９】
0006890364.tif 000037
【図２０】
0006890364.tif 000038